(57)【要約】【課題】外観がすっきりしており、低コストで製造することができる伸縮アーム固定構造を提供する。【解決手段】物品を入れたり置いたりするための容器と、前記容器に固定されている固定アームと、前記固定アームに対して摺動可能であり、所定の場所に設置するための伸縮アームと、前記固定アーム又は伸縮アームのいずれか一方に設けられる固定環とを含み、前記固定環は、前記固定アーム又は前記伸縮アームの軸方向に移動して、前記固定アームと前記伸縮アームとを締付することができる、伸縮アーム固定構造。【選択図】図１
2019138395.tif 000002
【特許請求の範囲】
【請求項１】
物品を入れたり置いたりするための容器と、
前記容器に固定されている固定アームと、
前記固定アームに対して摺動可能であり、所定の場所に設置するための伸縮アームと、
前記固定アーム又は前記伸縮アームのいずれか一方に設けられる固定環とを含み、
前記固定環は、前記固定アーム又は前記伸縮アームの軸方向に移動して、前記固定アームと前記伸縮アームとを締付することができる、伸縮アーム固定構造。
【請求項２】
前記固定アームは管状であり、かつ、両端部の少なくとも一方に、長さ方向の複数の切り込みと、前記切り込みに隣接する第一ネジ部とを備え、
前記伸縮アームは、前記固定アームの管の内部で摺動可能であって、前記伸縮アームの両端部が前記固定アームの両端部から挿入されており、
前記固定環は、前記第一ネジ部に螺合する第二ネジ部を内側に有する、請求項１に記載の伸縮アーム固定構造。
【請求項３】
前記伸縮アームが略Ｕ字状になっている、請求項１又は２に記載の伸縮アーム固定構造。
【請求項４】
前記伸縮アーム固定構造は一つの前記固定環を有し、前記固定環は前記伸縮アームが挿入してある前記固定アームの端部の一方のみを締付する、請求項２又は３に記載の伸縮アーム固定構造。
【請求項５】
前記固定環の外観形状がリング状である、請求項１乃至４のいずれか一項に記載の伸縮アーム固定構造。
【請求項６】
前記伸縮アーム固定構造が、水切りかごである、請求項１乃至５のいずれか一項に記載の伸縮アーム固定構造。
【発明の詳細な説明】
【技術分野】
【０００１】
本発明は、伸縮自在であり、かつ、容器に固定することができる伸縮アームを備える、美観の優れる伸縮アーム固定構造に関する。
【背景技術】
【０００２】
伸縮アームの固定構造として、アームの軸自体、またはアームの軸の外側に固定ネジを設けた伸縮アーム固定構造が従来から知られている。例えば、特許文献１には、流し台用ざる受け装置が記載されており、支柱は金属管体側面にネジ孔を設けて支桟伸縮後にネジ孔に固定ネジを螺入してネジ先端を金属管体に圧当接させて固定する旨が記載されている。
【０００３】
別の固定構造として、特許文献２には、図３に示すように、突出長を調整する調整ナット（蝶ナット３Ｃ）を具備する伸縮式棚１Ｃが記載されている。
【先行技術文献】
【特許文献】
【０００４】
【特許文献１】実開平６−４１６４５号公報
【特許文献２】実公平３−１７０４６号公報
【発明の概要】
【発明が解決しようとする課題】
【０００５】
しかし、特許文献１の技術は、支柱は金属管体側面にネジ孔を設けて支桟伸縮後にネジ孔に固定ネジを螺入してネジ先端を金属管体に圧当接させて固定するため、美観がよくないものである。
【０００６】
特許文献２は、図３に示すネジ軸２Ｃに螺合した蝶ナット３Ｃを回すことにより、ネジ軸２Ｃの固定アームからの突出長を増大させ、壁面への圧着力を増大させることができるための構造である。この構造の場合は、壁面への圧着力は腕力の低いものでも、蝶ナット３Ｃを回す力が小さく済むとの記載がある。しかし、この構造は、圧着力を高めるための構造であり、ネジ軸２Ｃが長いため、製造にコストがかかり、また、ごみなどがネジ軸２Ｃの溝にたまりやすく、この点でも美観も好ましいものではない。
【課題を解決するための手段】
【０００７】
本発明は、上記課題を鑑みてなされたものであり、外観が優れ、低コストで製造することができる伸縮アーム固定構造を発明した。
すなわち、本発明は以下の内容を包含する。
［１］  物品を入れたり置いたりするための容器と、前記容器に固定されている固定アームと、前記固定アームに対して摺動可能であり、所定の場所に設置するための伸縮アームと、前記固定アーム又は前記伸縮アームのいずれか一方に設けられる固定環とを含み、前記固定環は、前記固定アーム又は前記伸縮アームの軸方向に移動して、前記固定アームと前記伸縮アームとを締付することができる、伸縮アーム固定構造。
［２］  前記伸縮アーム固定構造において、前記固定アームは管状であり、かつ、両端部の少なくとも一方に、長さ方向の複数の切り込みと、前記切り込みに隣接する第一ネジ部とを備え、前記伸縮アームは、前記固定アームの管の内部で摺動可能であって、前記伸縮アームの両端部が前記固定アームの両端部から挿入されており、前記固定環は、前記第一ネジ部に螺合する第二ネジ部を内側に有する、前項［１］に記載の伸縮アーム固定構造。
［３］  前記伸縮アームが略Ｕ字状になっている、前項［１］又は［２］に記載の伸縮アーム固定構造。
［４］  前記伸縮アーム固定構造は一つの前記固定環を有し、前記固定環は前記伸縮アームが挿入してある前記固定アームの端部の一方のみを締付する、前項［２］又は［３］に記載の伸縮アーム固定構造。
［５］  前記固定環の外観形状がリング状である、前項［１］乃至［４］のいずれか一項に記載の伸縮アーム固定構造。
［６］  前記伸縮アーム固定構造が、水切りかごである、請求項１乃至５のいずれか一項に記載の伸縮アーム固定構造。
【発明の効果】
【０００８】
［１］  物品を入れたり置いたりするための容器と、前記容器に固定されている固定アームと、前記固定アームに対して摺動可能であり、所定の場所に設置するための伸縮アームと、前記固定アーム又は前記伸縮アームのいずれか一方に設けられる固定環とを含み、前記固定環は、前記固定アーム又は前記伸縮アームの軸方向に移動して、前記固定アームと前記伸縮アームとを締付することができる、伸縮アーム固定構造は、従来の構造と異なり、固定アームと伸縮アームが別体のものではなく、同軸上で固定アームと伸縮アームが接続されているため、非常にすっきりとした美観のある構造である。さらに、固定アームと伸縮アームが同軸上であるため、容器が傾きにくいという特徴がある。
［２］  前項［１］の伸縮アーム固定構造において、前記固定アームは管状であり、かつ、両端部の少なくとも一方に、長さ方向の複数の切り込みと、前記切り込みに隣接する第一ネジ部とを備え、前記伸縮アームは、前記固定アームの管の内部で摺動可能であって、前記伸縮アームの両端部が前記固定アームの両端部から挿入されており、前記固定環は、前記第一ネジ部に螺合する第二ネジ部を内側に有する場合は、固定アームに切り込みがあるため、固定環により締付しやすい構造であり、またネジ式であるため、しっかりと固定することができる。
［３］  前項［１］又は［２］に記載の伸縮アーム固定構造において、前記伸縮アームが略Ｕ字状になっている場合は、設置する場所を選ばずに設置しやすく、安定した状態でシンク等に設置することができる構造である。
［４］  前項［２］又は［３］に記載の伸縮アーム固定構造において、前記伸縮アーム固定構造は一つの前記固定環を有し、前記固定環は前記伸縮アームが挿入してある前記固定アームの端部の一方のみを締付する場合は、２つの固定環を有する場合よりも、より簡便に固定することができる。
［５］  前項［１］乃至［４］のいずれか一項に記載の伸縮アーム固定構造において、前記固定環の外観形状がリング状であれば、指で固定環を回しやすく、容易に締付することができる。
［６］  前項［１］乃至［５］のいずれか一項に記載の伸縮アーム固定構造において、前記伸縮アーム固定構造が、水切りかごである場合は、特徴的な伸縮アーム固定構造であるため、伸縮アームの長さを調節することにより、様々なシンクに設置することが可能である。
【図面の簡単な説明】
【０００９】
【図１】図１は、実施例の水切りかご１の斜視図を示す図である。
【図２】図２は、水切りかご１に備えられている固定アーム２と、伸縮アーム３と、固定環４の構造を示す図である。
【図３】図３は、従来の長さ調整機構の例を示す図である。
【発明を実施するための形態】
【００１０】
本発明の伸縮アーム固定構造を、実施例である水切りかごを用いて詳細に説明する。しかし、本発明は実施例の記載に限定されるものではない。
【実施例】
【００１１】
（構成）
図１に示す水切りかご１は、伸縮アーム固定構造に対応するもので、本発明の実施例である。水切りかご１は、容器に対応するかご本体８と、かご本体８に固定されている固定アーム２と、固定アーム２に対して摺動可能であり、所定の場所に設置するための伸縮アーム３と、固定アーム２又は伸縮アーム３のいずれか一方に設けられる固定環４とを含む。以下構成を説明する。
【００１２】
［固定アーム］
固定アーム２は、長さ方向の所定の２か所で曲がっており、略Ｕの字状の形状をしている管である。固定アーム２は、水切りかご１の底面に対して、平行に配置され、容器である水切りかご１の上部に固定されている。
図２に示すように、固定アーム２の端部には、複数の切り込み２２が設けられている（実施例では４つの切り込み２２が設けられている）。この切り込み２２は、固定環４により、ネジで締められたときに、固定アーム２の端部の内径を小さくしやすくするためのものである。
【００１３】
固定アーム２の端部の切り込み２２に隣接するように、第一ネジ部２１が設けられている。第一ネジ部２１は、固定環４の第二ネジ部４１と螺合することができるようになっている。
【００１４】
固定アーム２の両端部には、いずれも切り込み２２及び第一ネジ部２１が設けられているが、いずれか一方にのみ設けることもできる。
【００１５】
［伸縮アーム］
伸縮アーム３は、固定アーム２の形状と同様に、長さ方向の所定の２か所で曲がっており、略Ｕの字状の形状を有している。伸縮アーム３も、水切りかご１の底面に対して、平行に配置される。伸縮アーム３の断面の径（伸縮アーム３が管状の場合は、外径）は、固定アーム２の内径よりも小さい。
伸縮アーム３は、固定アーム２とＵ字が対向するように、すなわち、伸縮アーム３の両端が固定アーム２の両端の管の中へ挿入されるように、配置されている。
【００１６】
伸縮アーム３は、固定アーム２の内部で摺動可能である。このため、伸縮アーム３を把持し、固定アーム２に対して、引き出すこともできるし、挿入することもできる。
【００１７】
固定アーム２及び伸縮アーム３の折り曲げられている部分には、滑り止め５を設けて、水切りかご１が、シンクの中に落下しないようにすることができる。
【００１８】
［固定環］
固定環４は、外観形状がリング状の部材である。固定環４の内径は、固定アーム２の外径よりも若干大きい。したがって、固定環４のリングの中に、固定アーム２が挿入されている状態で、固定環４は固定アーム２の軸方向に移動可能である。
【００１９】
伸縮アーム３が固定アーム２の中に挿入されている状態で、固定環４は固定アーム２の端部へ移動し、配置される。固定環４のリングの内側面には、固定アーム２側には第二ネジ部４１を有しており、伸縮アーム３側には、伸縮アーム３と固定アーム２とを固定するための締付部４３を有している。第二ネジ部４１は、第一ネジ部２１と、螺合することができる。第一ネジ部２１の長さは、第二ネジ部４１の長さ以下である。第一ネジ部２１を露出させないようにするためである。締付部４３は、第二ネジ部４１の内径よりもわずかに小さい内径にしてもよい。
【００２０】
固定環４の外側には凸部４２が設けられている。凸部４２を設けることにより、固定環４を指で回しやすくなる。
【００２１】
図１にように、固定環４による締付は、固定環４を二つ用いて固定アーム２の両端を締付してもよいし、固定環４を一つ用いて、固定アーム２の両端のうち、一方のみを締付してもよい。一方のみを締付する場合は、締付しない固定アーム２は、伸縮アーム３に対して摺動のガイドをする役割のみを担うことになる。
【００２２】
［かご本体（容器）］
容器に対応する部分であるかご本体８は、係止部７で固定アーム２に係止してある。これにより、かご本体８は固定アーム２にぶら下げた状態で、伸縮アーム３を固定アーム２から引き出す、又は固定アーム２にさらに挿入させることができ、また、かご本体８を傾かないように保持することができる。かご本体８には、物品（例えば、調理道具、皿、コップ等）を入れたり置いたりすることができ、また、スプーン、フォーク、箸用の小かご６を設置してもよい。
【００２３】
（作用）
伸縮アーム３は、固定アーム２内で摺動可能であるため、シンクの大きさに応じて、伸縮アーム３の長さを調整することができる。伸縮アーム３を固定アーム２から、引き出す、又は固定アーム２にさらに挿入させることにより、伸縮アーム３の固定アーム２から突出している部分の長さを調節することができる。
【００２４】
水切りかご１は、伸縮アーム３の長さを変動させることにより、使用するシンクの奥行に合わせて調整した後、固定環４により、伸縮アーム３の長さを固定することができる。
【００２５】
固定方法は、固定アーム２と伸縮アーム３との位置を決めた後、固定アーム２の軸方向に移動可能な固定環４を固定アーム２の端に移動させる。固定アーム２の端に設けている第一ネジ部２１に、固定環４の第二ネジ部４１を螺合させ、固定環４を締める。固定環４をネジ締めすることにより、切り込み２２が設けられている部分の内径が小さくなり、固定アーム２の端部が伸縮アーム３を締付する。特に、固定環４に締付部４３を設けると、固定アーム２の端部を締め付けやすくなる。これにより伸縮アーム３の伸縮を防ぎ、固定することができる。
【００２６】
このように、固定した状態で、固定アーム２と伸縮アーム３を所定の場所（例えば、シンクの手前と奥の上面）に置くことで、異なる大きさのシンクであっても、かご本体８をシンクの底から浮き上がらせた状態で保持することができ、水切りかご１がシンクの中にずり落ちるのを防止することができる。
【００２７】
［符号の説明］
１    水切りかご
２    固定アーム
２１  第一ネジ部
２２  切り込み
３    伸縮アーム
４    固定環
４１  第二ネジ部
４２  凸部
４３  締付部
５    滑り止め
６    小かご
７    係止部
８    かご本体
【図１】
2019138395.tif 000003
【図２】
2019138395.tif 000004
【図３】
2019138395.tif 000005